(57)【要約】【課題】チャージ機能を整合したワイヤレス送受信アクセス・デバイスを提供する。【解決手段】アンテナを介してワイヤレス・ネットワーク・デバイスの音声信号と情報信号を受信するとともに、コネクタを介してインターネットにリンクされる、音声・情報送受信機能を有するワイヤレス送受信アクセス・デバイス１０と、前記のワイヤレス・ネットワーク・デバイスに対しチャージを実行するチャージ・デバイス５０とを備え、前記の二つのデバイスを一体になるように整合する。【選択図】図１
0003107202.tif 000002
【実用新案登録請求の範囲】
【請求項１】
アンテナを介してワイヤレス・ネットワーク・デバイスの音声信号と情報信号を受信するとともに、コネクタを介してインターネットにリンクされる、音声・情報送受信機能を有するワイヤレス送受信アクセス・デバイスと、
前記のワイヤレス・ネットワーク・デバイスに対しチャージを実行するチャージ・デバイスとを備え、
前記の二つのデバイスを一体になるように整合することを特徴とするチャージ機能を整合したワイヤレス送受信アクセス・デバイス。
【請求項２】
前記のワイヤレス送受信アクセス・デバイスとしてワイヤレス送受信基地を使用することを特徴とする請求項１に記載のチャージ機能を整合したワイヤレス送受信アクセス・デバイス。
【請求項３】
前記のワイヤレス送受信アクセス・デバイスとしてワイヤレス・ルーターを使用することを特徴とする請求項１に記載のチャージ機能を整合したワイヤレス送受信アクセス・デバイス。
【請求項４】
前記のワイヤレス送受信アクセス・デバイスとしてワイヤレス・ゲート・デバイスを使用することを特徴とする請求項１に記載のチャージ機能を整合したワイヤレス送受信アクセス・デバイス。
【請求項５】
前記のチャージ・デバイスとして、マイクロ・プロセッサーと、チャージ・インジケータと、ミス検出電気回路と、保護電気回路と、チャージ電圧検出手段と、チャージ電流検出手段とからなるものを使用し、前記のマイクロ・プロセッサーがチャージ電流検出手段とチャージ電圧検出手段を制御することによって、所定の安定なチャージ電圧を生成してワイヤレス・ネットワーク・デバイスの内部のチャージ・バッテリに対しチャージをし、且つ保護電気回路によって電圧流がサージを生成することを防止し、且つミス検出電気回路によってチャージ状態を検出するとともに、その結果をマイクロ・プロセッサーに送信し、且つそのチャージ・インジケータにそのチャージ状態を表示させるようにしたことを特徴とする請求項１に記載のチャージ機能を整合したワイヤレス送受信アクセス・デバイス。
【請求項６】
前記のチャージ・デバイスにはさらにチャージ・ベースを有し、直接にワイヤレス・ネットワーク・デバイスをそのチャージ・ベースに配設してチャージを実行できるようにしたことを特徴とする請求項１に記載のチャージ機能を整合したワイヤレス送受信アクセス・デバイス。
【請求項７】
前記のチャージ・デバイスには、さらにチャージ・ベースを備え、前記のチャージ・バッテリを前記のワイヤレス・ネットワーク・デバイスより取り出してそのチャージ・ベースに配設してチャージを実行するようにしたことを特徴とする請求項１に記載のチャージ機能を整合したワイヤレス送受信アクセス・デバイス。
【請求項８】
前記のワイヤレス送受信アクセス・デバイスと前記のチャージ・デバイスとは同一の入力電源を共用するようにしたことを特徴とする請求項１に記載のチャージ機能を整合したワイヤレス送受信アクセス・デバイス。
【考案の詳細な説明】
【技術分野】
【０００１】
本考案は、チャージ機能を整合したワイヤレス送受信アクセス・デバイスに係り、特に，電気回路基板を付加する方式（Ｂｏａｒｄ  ｔｏ  ｂｏａｒｄ），または、整合する方式（Ａｌｌ  ｉｎ  ｏｎｅ）によって、チャージ機能をワイヤレス送受信アクセス・デバイスに整合することによって、携帯式ワイヤレス・ネットワーク・デバイスに対しチャージする機能を提供できるようにした、チャージ機能を整合したワイヤレス送受信アクセス・デバイスに関するものである。
【背景技術】
【０００２】
さて、ワイド・バンド・ネットワークが漸次普及化されることに従って、音声送受信機（ｏＩＰ；Ｖｏｉｃｅ  ｏｖｅｒ  ＩＰ）を提供することにつれて、ワイヤレス・ネットワーク・テレホンとワイヤレス送受信アクセス・デバイスは必要不可欠な基本的な手段となっている。
【０００３】
前記のワイヤレス・ネットワーク・デバイス例えば、Ｗｉ−Ｆｉ  ＶｏＩＰ  Ｐｈｏｎｅ，Ｗｉ−Ｆｉ  ｗｉｔｈ  ＧＲＰＳ  ｃｏｍｂｏ  ＶｏＩＰ  Ｐｈｏｎｅ，Ｗｉ−Ｆｉ  ｗｉｔｈ  ＧＳＭ  ｃｏｍｂｏ  ＶｏＩＰ  Ｐｈｏｎｅ，Ｗｉ−Ｆｉ  ｗｉｔｈ  ＰＨＳ  ｃｏｍｂｏ  ＶｏＩＰ  Ｐｈｏｎｅ，Ｗｉ−Ｆｉ  ｗｉｔｈ  ＷＣＤＭＡ  ｃｏｍｂｏ  ＶｏＩＰ  Ｐｈｏｎｅ，ＰＤＡ  Ｓｏｆｔｗａｒｅ  ＩＰ  Ｐｈｏｎｅ，ｅｔｃは、携帯式の利便性を提供しており、それらには、繰り返してチャージできるバッテリを電源として利用し、また、チャージ・デバイスを合せて使用することによって純文和仕様電力を給電できるように処置される。
前記のワイヤレス送受信アクセス・デバイス  Ｗｉｒｅｌｅｓｓ  Ｗｉ−Ｆｉ  ＡＰ  Ｄｅｖｉｃｅには、ワイヤレス送受信基地Ｗｉｒｅｌｅｓｓ  Ａｃｃｅｓｓ  Ｐｏｉｎｔとワイヤレス・ルータＷｉｒｅｌｅｓｓ  ＡＰ  Ｒｏｕｔｅｒとワイヤレス・ゲート・デバイスＷｉｒｅｌｅｓｓ  ＡＰ  Ｇａｔｅｗａｙなどを有し、且つワイヤレス・ネットワーク送受信アクセス機能とワイヤレス・ネットワーク・デバイスとを一体になるように整合し、その運用されるＷｉ−Ｆｉ送受信技術には、ＩＥＥＥ８０２．１１ｂ、ＩＥＥＥ８０２．１１ｇ、ＩＥＥＥ８０２．１１ａなどのワイヤレス送受信協定を含んでいる。
【考案の開示】
【考案が解決しようとする課題】
【０００４】
ワイヤレス・ネットワーク・デバイスについては、環境中に架設されるとともに、ワイヤレス・システムに登録認証されるワイヤレス送受信基地とワイヤレス・ルータとワイヤレス・ゲート・デバイスなどを介して音声または情報を遠方の目的地に送受信し、且つチャージ・デバイスを使用して電力の使用性を確保する。しかしながら、いずれのワイヤレス・ネットワークもない環境の中では、ワイヤレス・ネットワーク・デバイスの利用性がなくなってしまう。また、携帯式ワイヤレス・ネットワーク・デバイスにチャージされる電源と、ワイヤレス送受信アクセス・デバイスに供給される電源とが、関係のないものであり、使用者に対しては、携帯式のワイヤレス・ネットワーク・デバイスの電力が不足になる場合に、他のチャージ・デバイスによってチャージをする必要がある。それは、電力の消費を大いに増加するほかに、不便さも有し、且つ占用スペースが大きくなり、且つ電源のソケットを探し出す必要があるので、種々の使用上の不便さと困難さを備えている。
【課題を解決するための手段】
【０００５】
前記のそれぞれの課題を解消するために、本考案は、主に、ワイヤレス送受信基地と、ワイヤレス・ルータと、ワイヤレス・ゲート・デバイスなどのワイヤレス・ネットワーク・アクセス機能を有するワイヤレス送受信アクセス・デバイスに対しチャージ・デバイスを整合することによって、携帯式のワイヤレス・ネット・ワーク・デバイスに対しチャージ及び音声信号と情報信号の送受信機能とを実現できる、チャージ機能を整合したワイヤレス送受信アクセス・デバイスを提供する。
【０００６】
また、前記の他の課題を解消するために、本考案は、電気回路基板を付加する方式（Ｂｏａｒｄ  ｔｏ  ｂｏａｒｄ）または整合する方式（Ａｌｌ  ｉｎ  ｏｎｅ）にとって、チャージ・デバイスとワイヤレス送受信アクセス・デバイスとを一つのケーシング内に整合し、ワイヤレス送受信アクセス・デバイスが任意の箇所に配設しても、すべてワイヤレス・ネットワーク電気回路に対しチャージする機能を提供でき、いつでもチャージできるので、ワイヤレス・ネットワーク・テレホンの使用時間を延長させることができるようにしたチャージ機能を整合したワイヤレス送受信アクセス・デバイスを提供する。
【考案を実施するための最良の形態】
【０００７】
以下、添付図面を参照して本考案の好適な実施の形態を詳細に説明する。
【実施例】
【０００８】
図１は、本考案のワイヤレス基地を実施例とした場合の電気回路を示すブロック図であり、そのブロック図には二つの部分を備え、その右半部がワイヤレス送受信アクセス・デバイス１０の構成を示す説明図である。
【０００９】
前記ワイヤレス送受信アクセス・デバイス１０は、アンテナ１１と、Ｗｉ−Ｆｉワイヤレス・ネットワーク・カード１２と、ワイヤレス・インターフェース１３と、ネットワーク・プロセッサー１４と、ネットワーク・エキスチェンジ実体層１５と、コネクタ１８と、ダイナミック・タイプ・メモリ１６と、フラッシュ・メモリ１７とを備えており、その中では、前記のＷｉ−Ｆｉワイヤレス・ネットワーク・カード１２がＩＥＥＥ８０２．１１ｂ、ＩＥＥＥ８０２．１１ｇ、ＩＥＥＥ８０２．１１ａなどのワイヤレス送受信協定をサポートするか、ＰＨＳ，ＧＰＲＳ，ＧＳＭなどの通信技術を整合したものである。
【００１０】
前記のコネクタ１８が、ワイヤレス送受信アクセス・デバイス１０の種類によって変換される場合もある。例えば、図２に示すようにワイヤレス基地２０がＬＡＮ区域ネットワーク・コネクタ１８Ａを利用する。また、ワイヤレス・ルーター３０にはＷＡＮ全域ネットワーク・コネクタ１８Ｂと、ＬＡＮ区域ネットワーク・コネクタ１８Ａ図２参照とを備える。
【００１１】
また、ワイヤレス・ゲート・デバイス４０には、ＮポートＬＡＮ区域ネットワーク・コネクタ１８Ａ（図３参照）を備える。また、前記のワイヤレス送受信アクセス・デバイス１０の音声及び情報の送受信技術と市販のワイヤレス送受信アクセス・デバイスと同じであるので、ここでは詳細な説明を省略する。それらの相違点は、図中の左半部のチャージ・デバイス５０が一つの電源供給電気回路５１を共用することにあり、且つ同一の入力電源を使用している。
【００１２】
前記のチャージ・デバイス５０には、マイクロ・プロセッサー５２と、チャージ・インジケータ５３と、ミス検出電気回路５４と、保護電気回路５５と、チャージ電圧検出手段５６と、チャージ電流検出手段５７とを備えており、その使用されるチャージ・テクニックについては大きい電流の迅速なチャージ方法や電圧比較法やシングル・チップ・マイクロ・コンピュータ電圧差異式制御方法などだけに限るものはなく、他の利用可能な方法も好適に採用できる。
【００１３】
本考案の実施例においてはシングル・チップ・マイクロ・コンピュータ電圧差異式制御方法を採用し、それぞれの構成部材がマイクロ・コンピュータ５２によって制御し、電源が電源供給電気回路５１よりチャージ・デバイス５０に入り、マイクロ・プロセッサー５２によってチャージ電流検出手段５７とチャージ電圧検出手段５６を制御することによって、所定の安定なチャージ電圧を生成し、ワイヤレス・ネットワーク・デバイスの内部のチャージ・バッテリに対しチャージを実行し、且つ保護電気回路５５によって電圧流のサージを防止し、且つミス検出電気回路５４によってチャージ状態を検出するとともに、マイクロ・プロセッサー５２に送信し、その駆動によってチャージ・インジケータ５３にそのチャージ状態を表示させる。
【００１４】
図４に示すものは、本考案のケーシングの構成を示す説明図であり、前記のワイヤレス送受信アクセス・デバイス１０のケーシングにはコネクタ１８を有するほか、本考案においては、チャージ・ベース５８を増設し、そのチャージ・ベース５８によって、二つの様式のタイプのチャージを実行できるものであり、直接にワイヤレス・ネットワーク・デバイスをそのチャージ・ベース５８に配設してチャージを実行してもよく、または、チャージ・バッテリを前記のワイヤレス・ネットワーク・テレホンより取り出して前記のチャージ・ベース５８に配設してチャージを実行してもよい。
【００１５】
ワイヤレス送受信アクセス・デバイス１０の配設位置において作られるワイヤレス・ネットワークの環境の中では、随時にそのワイヤレス・ネットワーク・デバイスに対しチャージを実行でき、且つ余分な電源とチャージ・デバイスを用意する必要はないので、その使用の利便性を向上できるとともに、実用的にも大きな貢献ができる。
【産業上の利用可能性】
【００１６】
前記に説明したように、本考案のチャージ機能を整合したワイヤレス送受信アクセス・デバイスによれば、ワイヤレス送受信アクセス・デバイスの情報及び音声の送受信機能とチャージ機能とを提供できるとともに、ワイヤレス・ネットワーク・デバイスの使用における利便性を向上でき、且つ従来にない新規な考案を提供したものである。
【００１７】
前述したように、前記に説明した構成は単に本考案の一実施例に過ぎず、本考案の技術的範囲は、前記実施例に限定されるものではなく、本考案の実用新案登録請求の範囲によって決定されるべきものであり、前記請求の範囲に含まれる変更および改良は、当然本考案の技術的範囲に属するものであることは言うまでもないことである。
【図面の簡単な説明】
【００１８】
【図１】本考案のワイヤレス基地を実施例とする場合の電気回路の構成を示すブロック図である。
【図２】本考案のワイヤレス・ルーターを実施例とする場合の電気回路の構成を示すブロック図である。
【図３】本考案のワイヤレス・ゲート・デバイスを実施例とする場合の電気回路の構成を示すブロック図である。
【図４】本考案のケーシングを示す説明図である。
【符号の説明】
【００１９】
１０      ワイヤレス送受信アクセス・デバイス
１１      アンテナ
１２      Ｗｉ−Ｆｉワイヤレス・ネットワーク・カード
１３      ワイヤレス・インターフェース
１４      ネットワーク・プロセッサー
１５      ネットワーク・エキスチェンジ実体層
１６      ダイナミック・メモリ
１７      フラッシュ・メモリ
１８      コネクタ
１８Ａ    ＬＡＮ区域ネットワーク・コネクタ
１８Ｂ    ＷＡＮ全域ネットワーク・コネクタ
２０      ワイヤレス基地  
３０      ワイヤレス・ルーター
４０      ワイヤレス・ゲート・デバイス
５０      チャージ・デバイス
５１      電源入力電気回路
５２      マイクロ・プロセッサー
５３      チャージ・インジケータ
５４      ミス検出電気回路
５５      保護電気回路
５６      チャージ電圧検出手段
５７      チャージ電流検出手段
５８      チャージ・ベース
【図１】
0003107202.tif 000003
【図２】
0003107202.tif 000004
【図３】
0003107202.tif 000005
【図４】
0003107202.tif 000006